(57)【特許請求の範囲】
【請求項１】
１ゲーム中にそれぞれ制限時間が規定された複数のセッションが実行される自動写真撮影装置であって、
前記各セッションの制限時間の組合せである設定セットを複数記録することができる設定セット記録手段と、
前記各設定セットについての前記各セッションの制限時間の指定を受け付ける制限時間設定手段と
を備え、
前記制限時間設定手段は、前記設定セットごとに前記各セッションの制限時間の入力を受け付けるための入力切替手段をさらに備え、
前記入力切替手段は、前記設定セットの表示と他の設定セットへの切替とを兼用するよう構成され、
前記記録された各セッションは、前記複数の設定セットから選択されるいずれか１の設定セットに従って実行されることを特徴とする自動写真撮影装置。
【請求項２】
各日毎の前記設定セットの指定を記録する日毎設定記録手段を更に備えることを特徴とする請求項１に記載の自動写真撮影装置。
【請求項３】
前記日毎設定記録手段が前記設定セットの指定を曜日毎に記録することを特徴とする請求項２に記載の自動写真撮影装置。
【請求項４】
前記複数のセッションに、写真画像に対する編集を受け付ける編集セッション及び／又は前記写真画像の印刷レイアウトを設定するレイアウトセッションが含まれることを特徴とする請求項１〜３のいずれか一項に記載の自動写真撮影装置。
【発明の詳細な説明】
【技術分野】
【０００１】
本発明は、撮影手段により撮影した写真画像を印刷物などの形態で利用者に提供する自動写真撮影装置に関し、特に１ゲーム中に制限時間が規定された複数のセッションが実行される自動写真撮影装置に関する。
【背景技術】
【０００２】
自動写真撮影装置では、利用者の写真撮影が行われる撮影セッション、撮影した写真画像に対する編集入力を受け付ける編集セッション、写真プリントのレイアウトを指定するレイアウトセッションなど、１ゲーム中に複数のセッションが実行されるようになっているが、回転率を一定以上に保つ必要から、上記のような各セッションが所定の制限時間の範囲で実行されるようにすることで、１ゲームの開始から終了までに要する稼働時間に上限を設けている場合が多い。
【０００３】
また利用者の来店数は個々の店舗や曜日などによって異なることから、自動写真撮影装置の中には、１ゲームの稼働時間を店舗側で変更できるようになっているものもある。従って、繁忙店や繁忙日の場合は稼働時間を短くすることで装置の回転率を高めたり、来店数が多く望めない場合は稼働時間を長めに設定することで利用者の満足度を高めて再来店を誘引するなどの調整を行うことが可能である。
【０００４】
従来は、このような稼働時間の調整を、各セッションの制限時間を均等に延長、短縮するか、或いはセッション毎に制限時間の設定を個別に行うかのいずれかの方式により行っていた。
【０００５】
しかし前者の方式では、全体の稼働時間を短くする場合でも編集セッションはあまり短くしたくないなど、店舗毎の要望に応じたきめ細かい設定を行うことができない。また後者の方式では、稼働時間の設定作業に時間が掛かるため、稼働時間を日毎に変更したい場合や多くの自動写真撮影装置を設置する店舗の場合にはその煩に耐えない。
【非特許文献１】特開２００２−３３０３７１号公報
【発明の開示】
【発明が解決しようとする課題】
【０００６】
本発明は上記問題に鑑みてなされたものであり、店舗毎の要望にきめ細かく対応できるように複数のセッションの制限時間を個別に設定できるようにすると同時に、この設定作業を容易に行うことが可能な自動写真撮影装置を提供することをその目的とする。
【０００７】
また本発明は、複数の営業日についての各セッションの制限時間の設定を予めまとめて行うことを可能にすることで、設定作業の利便性の高められた自動写真撮影装置を提供することをもその目的とする。
【０００８】
また本発明は、予め登録された所定の日数分についての設定に従って、その日数毎に反復して、自動的に各セッションの制限時間のセッティングが行なわれるようにし、もって、日毎の設定作業を不要とすることができる自動写真撮影装置を提供することをもその目的とする。
【課題を解決するための手段】
【０００９】
本発明は、
１ゲーム中にそれぞれ制限時間が規定された複数のセッションが実行される自動写真撮影装置であって、
前記各セッションの制限時間の組合せである設定セットを複数記録することができる設定セット記録手段と、
前記各設定セットについての前記各セッションの制限時間の指定を受け付ける制限時間設定手段とを備え、
前記複数の設定セットから選択されるいずれか１の設定セットに従って前記各セッションが実行されることを特徴とする自動写真撮影装置である。
【００１０】
本発明では、各日毎の前記設定セットの指定を記録する日毎設定記録手段を更に備えることことが好ましい。
【００１１】
本発明では、前記日毎設定記録手段が前記設定セットの指定を曜日毎に記録することが好ましい。
【００１２】
上記各発明における複数のセッションには、写真画像に対する編集を受け付ける編集セッション及び／又は前記写真画像の印刷レイアウトを設定するレイアウトセッションが含まれることが好ましい。
【発明の効果】
【００１３】
請求項１の発明によれば、設定セットとして各セッション毎に個別に制限時間を指定できるため、店舗毎の要望に従ったきめ細かい稼働条件の設定が可能である。また複数の設定セットからいずれかの設定セットを選択することにより稼働条件を変更できるため、稼働条件の設定を短い時間で簡単に行うことが可能である。
【００１４】
請求項２の発明によれば、日毎の稼働条件を日毎設定記録手段に予めまとめて設定することが可能であり、稼働条件の設定を日毎に行わなければならない煩雑さを解消することができる。
【００１５】
請求項３の発明によれば、１週間の各曜日についての稼働条件を予め設定しておくことで、その後は日毎の稼働条件のセッティングが自動的に一週間毎に反復して実行されるため、稼働条件の設定を日毎又は定期的に行う必要が無くなる 。また請求項３の発明では、繁忙が予想される曜日には稼働時間が短く設定された設定セットに従って装置が稼働し、来店者数が少なくなると考えられる曜日には稼働時間が長く設定された設定セットに従って装置が稼働するようにするなど、装置を合理的に運用することができる。
【００１６】
請求項４の発明では、装置の稼働時間の大きな部分を占めるセッション、或いは制限時間の長短が利用者の満足度を左右する度合いが高いと考えられるセッションである編集セッション及び／又はレイアウトセッションについての制限時間を個別に設定することが可能になる。
【発明を実施するための最良の形態】
【００１７】
以下、本発明の実施の形態を、添付図面を参照して説明する。
【００１８】
図１は本発明の一実施形態に係る自動写真撮影装置１の内部構造の概略を示す説明図であり、図２は上記自動写真撮影装置１が備える筐体１０の正面図である。
【００１９】
図示されるように、自動写真撮影装置１は、筐体１０と撮影ブース２０とから構成されており、筐体１０の正面には、利用者の写真画像を撮影するためのＣＣＤカメラ１１、利用者からの各種操作入力の受け付けやＣＣＤカメラ１１により撮影した写真画像の表示等を行うためのタッチパネル式モニタ１２、フラッシュライト１３ａなどからの照明光を撮影ブース２０内に照射するための照明装置１３、効果音等を出力するためのスピーカ１４、装置の利用料金を受け入れるコイン投入口１５、写真プリントが排出される写真排出口１６などが設けられている。
【００２０】
また筐体１０の下方には保守管理等のための鍵付きの扉１７が取り付けられており、扉１７を開いて管理ボタン１８を操作することで、自動写真撮影装置１の稼働条件の設定を含む種々の管理操作が行い得るようになっている。
【００２１】
筐体１０には、装置１の動作を制御するためのパーソナルコンピュータ３０や写真画像を印刷するためのプリンタ４１（図３参照）などが内蔵されている。
【００２２】
撮影ブース２０は、写真撮影を行う利用者を収容するための空間であり、撮影ブース２０の後方には撮影の際に利用者が着座できる椅子２１が据え付けられている。
【００２３】
図３は、自動写真撮影装置１のシステム構成を示す説明図である。
【００２４】
パーソナルコンピュータ３０は、バス３１により相互に接続されるＣＰＵ３２、ＲＯＭ３３、ＲＡＭ３４、インターフェース（Ｉ／Ｆ）３５を備えており、インターフェース３５にはハードディスク３６及びＤＶＤ−ＲＯＭなどの読み取りを行うための外部記録媒体ドライブ３７が接続されている。
【００２５】
ハードディスク３６には、自動写真撮影装置１に遊技動作を実行させる遊技プログラムや自動写真撮影装置１の稼働条件等の設定の受け付けを実行する管理プログラムなどが記録されるプログラム記録領域３６ａ、遊技動作中に出力される映像や音声のデータ、或いは編集などにおいて使用される各種画像データなどを記録する遊技情報記録領域３６ｂ、設定セットデータや週間予約データなどの管理情報が記録される管理情報記録領域３６ｃなどが設けられている。
【００２６】
なお、上記設定セットデータは、自動写真撮影装置１により実行されるセッションであるキャラクタ選択セッション、写真選択セッション、編集セッション及びレイアウトセッションのそれぞれについての制限時間を規定するものであり、この実施例では、２組の設定セットデータ（「設定セット１」及び「設定セット２」のデータ）が記録されるようになっている。また、週間予約データは、月曜〜日曜の各曜日について、上記２組の設定セットのいずれが有効かを特定するデータである。
【００２７】
ＲＯＭ３３は、パーソナルコンピュータを制御するための基本的なプログラムを格納している。
【００２８】
ＲＡＭ３４は、編集対象の画像や、利用者が入力した編集の内容などの作業データを一時的に記録するものである。
【００２９】
インターフェース３５には、ＣＣＤカメラ１１、タッチパネル式モニタ１２、照明装置１３を制御するための照明制御装置３８、スピーカ１４に接続された音響制御装置３９、コイン投入口１５に投入された利用料金を検出するコイン処理部４０、写真画像の印刷を行うプリンタ４１などの外部機器が接続されており、ＣＰＵ３２とこれら各機器との間において所定の信号の授受が行われるようになっている。
【００３０】
図４は、自動写真撮影装置１の稼働時間の設定において実行される処理を示すフローチャートである。
【００３１】
操作者（店舗の管理者など）が扉１７を開いて管理ボタン１８を操作すると、プログラム記録領域３６ａの管理プログラムが起動し、タッチパネル式モニタ１２に管理メニューが表示される（ステップ１）。
【００３２】
管理メニューには、自動写真撮影装置１の各種稼働条件を設定するための複数のアイコンが表示されるようになっており、その中から稼働時間設定に割り当てられたアイコンが選択された場合には、管理情報記録領域３６ｃから設定セットデータの読み込みが実行され（ステップ２）、タッチパネル式モニタ１２に図５に示す稼働時間設定画面５０が表示される（ステップ３）。
【００３３】
図示されるように、稼働時間設定画面５０には４つの制限時間指定領域５１〜５４、設定セット選択ボタン５５、週間予約ボタン５６、保存ボタン５７及び戻るボタン５８が表示されている。
【００３４】
制限時間指定領域５１〜５４は、自動写真撮影装置１により実行されるセッションであるキャラクタ選択セッション、写真選択セッション、編集セッション及びレイアウトセッションにそれぞれ対応しており、これら各領域には、時間表示部５１ａ〜５４ａ及び設定ゲージ５１ｂ〜５４ｂが配置されている。
【００３５】
時間表示部５１ａ〜５４ａは、「設定セット１」又は「設定セット２」についての各セッションの制限時間をデジタル値で表示するものであり、初期状態ではステップ２において読み込まれた「設定セット１」についてのデータが表示される。
【００３６】
設定ゲージ５１ｂ〜５４ｂは、マーカー５１ｃ〜５４ｃと左右の矢印マーク５１ｄ〜５４ｄ、５１ｅ〜５４ｅを備えており、設定ゲージ５１ｂ〜５４ｂ上におけるマーカー５１ｃ〜５４ｃの位置により、時間表示部５１ａ〜５４ａに表示される制限時間を視覚的に理解し易く表示するとともに、矢印マーク５１ｄ〜５４ｄ、５１ｅ〜５４ｅをタッチすることでマーカー５１ｃ〜５４ｃを左右に移動させ、それぞれのセッションの制限時間を変更できるようになっている。
【００３７】
設定セット選択ボタン５５は、制限時間の設定を行うべき設定セットの選択を行うためのものであり、設定セット選択ボタン５５をタッチする毎にボタン５５の表示が「設定セット１」→「設定セット２」→「設定セット１」のように切り替わり、これに伴って、制限時間指定領域５１〜５４に表示されるデータも変更された設定セットについてのデータに切り替わるようになっている。
【００３８】
従って、設定セット選択ボタン５５によって選択した設定セットについてのデータを各制限時間指定領域５１〜５４における上記操作によって変更することができる。
【００３９】
保存ボタン５７は、設定した制限時間を保存するためのものであり、保存ボタン５７にタッチすると、その時点で設定されてる各セッションの制限時間が設定セットデータとして管理情報記録領域３６ｃに記録される。戻るボタン５８は制限時間の設定操作を終了させるためのものであり、戻るボタン５８にタッチすると、処理はステップ１にリターンし、タッチパネル式モニタ１２の表示が管理メニューに切り替えられる。
【００４０】
稼働時間設定画面５０において週間予約ボタン５６がタッチされた場合には、管理情報記録領域３６ｃからの週間予約データの読み込みが実行され（ステップ４）、タッチパネル式モニタ１２に図６に示す週間予約画面６０が表示される（ステップ５）。
【００４１】
図示されるように、週間予約画面６０には、２つの制限時間表示部６１ａ、６１ｂ、曜日テーブル６２、制限時間設定ボタン６３、保存ボタン６４及び戻るボタン６５が表示されている。
【００４２】
このうち曜日テーブル６２は、月曜〜日曜の曜日表示欄６２ａと、各曜日欄６２ａに対応して設けられた設定セットの選択肢（「設定セット１」及び「設定セット２」）が表示される選択肢欄６２ｂを備えている。
【００４３】
選択肢欄６２ｂでは、有効にされている設定セットを示す文字表記が反転表示されるようになっており、初期状態ではステップ４において読み込まれた週間予約データに従って表示される。なお図示の状態では、月曜〜金曜は「設定セット１」が有効で、土曜及び日曜は「設定セット２」が有効となっている。
【００４４】
また、この曜日テーブル６２では、各選択肢欄６２ｂのいずれかの選択肢にタッチすることで、その選択肢の設定セットを有効に切り替えることができるようになっており、各曜日について所望の選択肢をタッチしていくことで、１週間の各曜日に「設定セット１」及び「設定セット２」のいずれを有効にするかを指定することができる。
【００４５】
制限時間表示部６１ａ、６１ｂには、それぞれ「設定セット１」及び「設定セット２」についての各セッションの制限時間、及び合計の稼働時間が表示されている。従って、上記曜日毎の設定セットの選択は、制限時間表示部６１を見ながら行うことができる。
【００４６】
保存ボタン６４は、曜日テーブル６２において指定した設定を保存するためのものであり、保存ボタン５７にタッチすると、各曜日にどの設定セットが有効となるかを特定するデータが週間予約データとして管理情報記録領域３６ｃに記録される。
【００４７】
制限時間設定ボタン６３及び戻るボタン６５は曜日設定データの指定を終了させるためのボタンであり、これらがタッチされると、それぞれ処理はステップ３又は１にリターンし、タッチパネル式モニタ１２の表示は、稼働時間設定画面５０又は管理メニューに切り替えられる。
【００４８】
図７は、自動写真撮影装置１の稼働時の動作を示すフローチャートである。
【００４９】
自動写真撮影装置１の電源が投入されると、ＣＰＵ３２が起動し、内蔵タイマーに基づいて当日の曜日を特定し（ステップ１１）、管理情報記録領域３６ｃの週間予約データに基づいて、その曜日について有効となっている設定セットを特定する（ステップ１２）。
【００５０】
続いて、特定された設定セットについての設定セットデータが管理情報記録領域３６ｃから読み込まれ（ステップ１３）、これに従って各セッションの制限時間のセッティングが行われる（ステップ１４）。
【００５１】
その後、自動写真撮影装置１は、利用料金投入の待ち受け状態となる（ステップ１５）。
【００５２】
コイン処理部４１から規定の料金の投入を検知した信号が送信されると、ＣＰＵ３２は遊技プログラムを起動させ、順次、キャラクタ選択セッション（ステップ１６）、撮影セッション（ステップ１７）、写真選択セッション（ステップ１８）、編集セッション（ステップ１９）及びレイアウトセッション（ステップ２０）を実行する。
【００５３】
即ち、ステップ１６では、タッチパネル式モニタ１２に「人魚姫」や「白雪姫」などの複数のキャラクタオプションが選択肢として表示され、利用者は、いずれかの選択肢をタッチすることにより好みのキャラクタオプションを選択することができる。キャラクタオプションの選択を行い得る時間は、ステップ１４において設定されたキャラクタ選択セッションについての制限時間の範囲内であり、制限時間の経過とともに処理はステップ１７に移行する。なお、利用者がキャラクタオプションの選択を行わないままにこの制限時間が経過すると、予め定められたいずれかのキャラクタオプションが自動的に選択される。
【００５４】
続くステップ１７では、ＣＣＤカメラ１１による複数回数の写真撮影が反復して実行される。撮影セッションにおいては、選択されたキャラクタの画像がタッチパネル式モニタ１２に表示され、或いはそのキャラクタの音声がスピーカ１４から出力されるなど、選択されたキャラクタオプションに応じた演出を実行しつつ写真撮影が進行する。
【００５５】
続くステップ１８では、タッチパネル式モニタ１２にステップ１７において撮影された複数の写真画像が表示され、利用者は、その中から印刷したい所定枚数の写真画像をタッチしていくことで選択することができる。利用者が写真画像の選択を行い得る時間は、ステップ１４において設定された写真選択セッションについての制限時間の範囲内であり、制限時間の経過とともに処理は自動的にステップ１９に移行する。なお、利用者が所定枚数の写真画像の選択を行わないままにこの制限時間が経過すると、予め定められたいずれかの写真画像（例えば１、３、５、７番目に撮影された写真画像等）が自動的に選択される。
【００５６】
続くステップ１９では、タッチパネル式モニタ１２にステップ１８において選択された写真画像と編集入力のための各種機能が割り当てられた複数のアイコンが表示され、利用者は、これらのアイコンを用いて写真画像の編集を行うことができる。利用者が写真画像の編集を行い得る時間は、ステップ１４において設定された編集セッションについての制限時間の範囲内であり、制限時間が経過した場合は処理は自動的にステップ２０に移行する。
【００５７】
続くステップ２０では、レイアウト設定の受け付けが実行される。即ち、ステップ１８において撮影された写真画像、又はステップ１９における編集が加えられた写真画像と、予め準備された推奨レイアウトがタッチパネル式モニタ１２上に表示され、利用者によるタッチパネル式モニタ１２への操作に従って、印刷される写真画像及びレイアウトが決定される。利用者がレイアウト設定を行い得る時間は、ステップ１４において設定されたレイアウトセッションについての制限時間の範囲内であり、制限時間の経過とともに処理はステップ２１に移行する。なお、レイアウトの設定が完了しないままにこの制限時間が経過すると、予め定められたいずれかの写真画像及びレイアウトが自動的に選択される。
【００５８】
ステップ１８〜２０において選択され、編集された写真画像及びレイアウトのデータはプリンタ４１に送信されて写真プリントの印刷が実行され、その写真プリントが写真排出口１６から利用者に払い出される（ステップ２１）。
【００５９】
以上により自動写真撮影装置１による１ゲームのゲーム処理が終了し、次の利用者のためのゲーム処理を実行すべく、処理はステップ１１に戻される。
【００６０】
以上、好ましい実施形態に基づいて本発明を説明したが、本発明はこの実施形態により限定を受けるものではなく、特許請求の範囲の記載内において種々の改変が可能である
例えば、上記した実施形態では設定セット記録手段が２種類の設定セットを記録する場合について説明したが、３以上の任意の個数の設定セットを記録するように構成することも可能である。
【００６１】
また上記した実施形態では、日毎設定記録手段が１週間の各曜日の設定セットの指定を記録する場合について説明したが、日毎設定記録手段は１ヶ月間の各日の設定セットの指定を記録するようにしても良く、或いは年月日を特定するなどして１日毎の設定セットの指定を記録するようにしても構わない。
【００６２】
また上記した実施形態では、キャラクタ選択セッション、写真選択セッション、編集セッション及びレイアウトセッションの４つのセッションについての制限時間のセッティングが設定セット記録手段に記録される設定セットに従って行われる場合について説明したが、１プレイのうちのセッションの区切りをどのようにするか、或いは設定セットに従って制限時間のセッティングが行われるセッションをどのように選択するかなどは任意であり、任意の態様で定められた任意の複数のセッションの制限時間のセッティングが、複数の設定セットから選択されるいずれかの設定セットに従って行われる自動写真撮影装置は本発明の範囲に含まれる。
【図面の簡単な説明】
【００６３】
【図１】本発明の一実施形態に係る自動写真撮影装置の内部構造を示す説明図。
【図２】本発明の一実施形態に係る自動写真撮影装置が備える筐体の正面図。
【図３】本発明の一実施形態に係る自動写真撮影装置のシステム構成を示す説明図。
【図４】本発明の一実施形態に係る自動写真撮影装置の稼働時間の設定において実行される処理を示すフローチャート。
【図５】稼働時間設定画面を示す説明図。
【図６】週間予約画面を示す説明図。
【図７】本発明の一実施形態に係る自動写真撮影装置の稼働時の動作を示すフローチャート。
【符号の説明】
【００６４】
１ 自動写真撮影装置
１０ 筐体
１１ ＣＣＤカメラ
１２ タッチパネル式モニタ
１３ 照明装置
１４ スピーカ
１５ コイン投入口
１６ 写真排出口
１７ 扉
１８ 管理ボタン
２０ 撮影ブース
２１ 椅子
３０ パーソナルコンピュータ
３１ バス
３２ ＣＰＵ
３３ ＲＯＭ
３５ インターフェース
３６ ハードディスク
３７ 外部記録媒体ドライブ
３８ 照明制御装置
３９ 音響制御装置
４０ コイン処理部
４１ プリンタ
５０ 稼働時間設定画面
６０ 週間予約画面
【図１】
0004703325.tif 000002
【図２】
0004703325.tif 000003
【図３】
0004703325.tif 000004
【図４】
0004703325.tif 000005
【図５】
0004703325.tif 000006
【図６】
0004703325.tif 000007
【図７】
0004703325.tif 000008